(57)【要約】【課題】機密モードによる印刷動作待ちの状態を経過時間により管理し、設定された経過時間を過ぎた場合には、新規印刷ジョブでの割り込み製版による場合を含む製版・印刷動作を実行可能とし、孔版印刷機のユーザの待ち時間の削減と無駄な版を発生させない孔版印刷装置ネットワークシステムを提供する。【解決手段】制御装置１００（ＣＰＵ１０１）は、前記図示しない内部のタイマによって経時される経過時間に係るデータ信号、すなわち、前述の機密モードを解除する機密モード解除の条件として、ＰＣ２００からの信号が送信された時点から、その信号に基づいて給版動作が完了した時点までの間の何れかの時点を起点とする経過時間に係るデータ信号に基づいて、機密モードが実行されてからの経過時間を計算・カウントし、機密モード実行状態から機密モード解除実行状態として、機密モードの解除を行う。【選択図】図１０
2010000672.tif 000002
【特許請求の範囲】
【請求項１】
マスタを穿孔製版する製版部、製版済みのマスタを巻装する版胴を備え、該版胴上の製版済みのマスタに前記版胴の内周側からインキを供給すると共に被印刷媒体を押し付けて被印刷媒体に印刷画像を形成する印刷部および前記版胴上の使用済みのマスタを排版する排版部を具備する孔版印刷装置と、該孔版印刷装置と通信可能に接続されたコンピュータとで構成され、前記コンピュータからの信号に基づいて前記孔版印刷装置が作動すると共に割り込み製版・印刷が可能に構成されている孔版印刷装置ネットワークシステムにおいて、
前記孔版印刷装置ネットワークシステムは、
前記版胴より使用済みのマスタを除去する排版動作後、前記版胴上に新しい製版済みのマスタを巻装する製版給版動作までを行い、少なくとも以降の印刷動作を禁止する機密モードを設定する機密モード設定手段と、
前記機密モード設定手段からの機密モード設定信号に基づいて、前記機密モードを実行するように前記製版部、前記排版部および前記印刷部を制御する制御手段と、
前記少なくとも印刷動作が実行されていない前記機密モードの実行状態を解除する機密モード解除手段とを有し、
前記機密モード解除手段での機密モード解除条件として、前記機密モードが実行されている前記版胴上の製版済みのマスタの製版給版指令に関しての、前記コンピュータからの信号が送信された時点から前記給版動作が完了する時点までの間の何れかの時点を起点とする経過時間を条件に設定し、この経過時間内は前記割り込み製版を禁止していることを特徴とする孔版印刷装置ネットワークシステム。
【請求項２】
請求項１記載の孔版印刷装置ネットワークシステムにおいて、
前記機密モード解除を実行するか否かを前記コンピュータおよび前記孔版印刷装置の少なくとも一方で設定可能であることを特徴とする孔版印刷装置ネットワークシステム。
【請求項３】
請求項１または２記載の孔版印刷装置ネットワークシステムにおいて、
前記経過時間が、前記コンピュータおよび前記孔版印刷装置の少なくとも一方で任意に設定可能であることを特徴とする孔版印刷装置ネットワークシステム。
【請求項４】
請求項１ないし３の何れか一つに記載の孔版印刷装置ネットワークシステムにおいて、
前記機密モード解除手段により前記機密モードが解除された状態を、前記コンピュータおよび前記孔版印刷装置の少なくとも一方で報知することが可能であることを特徴とする孔版印刷装置ネットワークシステム。
【請求項５】
請求項１ないし４の何れか一つに記載の孔版印刷装置ネットワークシステムにおいて、
前記コンピュータは、前記機密モード設定手段による前記機密モードから前記印刷動作を実行可能にする第１の印刷動作実行コードを生成する第１の印刷実行コード生成手段を備えており、
前記孔版印刷装置は、第１の印刷動作実行コードと同一の第２の印刷動作実行コードを生成する第２の印刷動作実行コード生成手段を備えており、
前記経過時間が経過し、かつ、前記機密モードが解除された状態の場合に、第１の印刷実行コードと第２の印刷動作実行コードとが一致すれば、前記印刷動作可能とすることを特徴とする孔版印刷装置ネットワークシステム。
【発明の詳細な説明】
【技術分野】
【０００１】
本発明は、孔版印刷装置ネットワークシステムに関し、さらに詳しくは、孔版印刷装置とコンピュータとが通信可能に接続されて構成された孔版印刷装置ネットワークシステムにおける機密モードの解除処理に関する。
【背景技術】
【０００２】
従来より、簡便な印刷方法としてデジタル式感熱孔版印刷が知られている。これは、熱可塑性樹脂フィルムを有する感熱孔版マスタ（以下、「マスタ」という）に微細な発熱素子が１列ないしは複数列に配列されたサーマルヘッドを接触させ、各々の発熱素子に対しパルス的に通電を行いながらマスタをプラテンローラ等のマスタ搬送手段で搬送することにより、サーマルヘッドの発熱素子に接触しているマスタの熱可塑性樹脂フィルム部分を画像情報に基づいて加熱溶融穿孔することで、マスタに穿孔画像を形成した後、この穿孔されたマスタ（以下、「製版済みのマスタ」という）を印刷ドラムとも呼ばれる版胴の外周面に巻き付け、プレスローラ等の押圧手段によって印刷用紙（以下、「用紙」という）を版胴の外周面に押し付けることで版胴の開孔部分およびマスタの穿孔部分からインキを滲出させ、このインキを用紙に転移させて印刷画像を形成するものである（例えば、特許文献１参照）。
【０００３】
前述したような孔版印刷装置（以下、「孔版印刷機」ともいう）において、印刷画像の機密保持を行う場合、例えば特許第３５６６３６７号公報（特許文献１）に開示されているように、「機密モード」を選択すると、製版・印刷動作が終了した後に、追加印刷を不可とする技術がある。この技術は、版胴上に着版された使用済みのマスタにある画像データを第三者に印刷されないようにするためのものでもある。
【０００４】
昨今では、ＬＡＮ等のネットワーク上に孔版印刷機が接続され、複数のユーザがそれぞれのコンピュータより印刷物を出力し取得することがごく普通に行われるようになっている。
【０００５】
このような使用条件の場合、孔版印刷機は、ユーザが使用しているコンピュータの近辺にあるとは限らず、例えば別室に設置されている場合も多々ある。その際、ユーザがコンピュータより指令を出して印刷を実行し、直ぐに印刷物を取りに行けば良いが、例えばその間に電話が入ったり等の不測の事態に遭遇すると、一時的に孔版印刷装置１の排紙部に印刷物が放置されてしまうこととなる。このような場合に、印刷物に印刷されている情報の漏れに繋がり機密保持ができないといった問題点があった。
【０００６】
上記問題点に対しては、電子写真（ＰＰＣ）方式やインクジェット方式等のプリンタ等の技術分野では、例えば特開２００７-７９９４号公報（特許文献２）記載の技術に開示されているように、排紙部に排紙カセットを設け、その排紙カセットに個体標識部材を設けて、プリンタ本体側の認証手段で排紙カセットの識別を行い、排紙カセットの個体情報が合致した場合に制御部が印刷動作を実行するというものである。
【０００７】
また、印刷を実行したユーザと印刷装置での印刷物の認証方法については、証方法については、等種々の方法が提案されている（例えば、特許文献３〜５参照）。
【０００８】
【特許文献１】特許第３５６６３６７号公報
【特許文献２】特開２００７-７９９４号公報
【特許文献３】特開２００６-９９７２４号公報
【特許文献４】特開２００４-３３１２３８号公報
【特許文献５】特開２００６-３４１５９１号公報
【特許文献６】特開２００５-３５０１０号公報
【特許文献７】特開２００３−２５６８９号公報
【発明の開示】
【発明が解決しようとする課題】
【０００９】
しかしながら、上記特許文献３〜５の機密保持方法は、電子写真（ＰＰＣ）やインクジェット方式等のプリンタ等の、版を使用しない印刷装置（画像形成装置）においては有効であるが、版を作成・使用する孔版印刷機においては、以下に挙げる不十分な点がある。
すなわち、電子写真（ＰＰＣ）やインクジェット方式等のプリンタ等では、画像データが印刷装置本体に送信されていれば、時間的に長くても、ものの数秒で印刷物を得ることが可能である。それ故に、ユーザの時間に対する使い勝手はあまり問題とならない。これ対して、孔版印刷機において、最も時間を要する動作は、前に使用した版を剥離・廃棄する排版動作から、製版書込み動作後に行う製版済みのマスタを版胴に巻装する給版動作までの一連の動作がある。この一連の動作に要する時間は、通常、十数秒から数十秒が必要となる。従って、上記特許文献２のような方法を孔版印刷機で実施する場合では、コンピュータ側で画像データを送信後、実際に孔版印刷装置１の前に立ち、その操作パネル等を利用して認証作業を行った後、十数秒〜数十秒何もしないで待たなければ印刷物を得ることができない。
前述のように、印刷物を得る際に版を使用しない印刷方法である電子写真（ＰＰＣ）やインキジェット方式等のプリンタ等において排出された印刷物の機密を保持するのに有効である方法は、版を使用する孔版印刷機においては、待ち時間という点において、必ずしも有効とは言えない場合がある。
【００１０】
また、特許文献４で提案されているように、排紙出口を物理的にロックし、該当ユーザ以外の者が取り出し不可とする方法において、電子写真（ＰＰＣ）やインキジェット方式等のプリンタでは１枚もしくは数枚程度の印刷がほとんどを占めるため装置は大きくならないが、孔版印刷機では多量枚数（例えば１００〜１０００枚）を印刷する場合が少なからずあり、それを全て覆い隠し、物理的にロックするには装置が大きくなるだけでなく、コストも多く掛かり、広い設置場所も必要になってしまうという問題がある。
【００１１】
さらに、電子写真（ＰＰＣ）やインキジェット方式等のプリンタでは、印刷枚数が少ない（１〜２０枚程度）場合において、丁合装置（ソータ）を利用して複数の印刷物をそれぞれ物理的にロックする方法等が考えられるが、孔版印刷機のように多量枚数（例えば１００〜１０００枚）を印刷した場合では、これを丁合する装置は非常に大掛かりなものになり、コストも多く掛かりで、機器の設置場所も広く取る必要がある。
【００１２】
それ故に、学校やオフィス等で使用されている孔版印刷機の排紙台は、１０００枚程度の印刷物の積載は可能に構成されているが、これでは、印刷物を取り出さない限り、次のユーザが印刷動作を行うことが不可能であり、ユーザがうっかり印刷物の取り出しを忘れたりすると、その間、孔版印刷機の使用ができなくなってしまう問題もある。特に、不特定多数のユーザが孔版印刷機を使用する場合には、上記問題が顕著となる。
【００１３】
また、特許文献５では、同一のユーザが複数の印刷ジョブを１回の手続きで全部一度に印刷可能な方法を提案している。これも、版を使用する孔版印刷装置１では、複数の印刷物を得るには複数回に渡り、排版から製版・給版、印刷動作を繰り返す必要があり、例えば１原稿当たり１０枚の印刷を５回繰り返す場合では、印刷動作のみの時間自体は１０枚×５回で３０秒（印刷速度が１００ｒｐｍ：１００枚／分の場合）程度の時間で済むが、前述のように、排版から製版・給版に要する時間は、十数秒から数十秒の５倍の時間を要し、それこそ４〜５分程度も余分に必要となる。このように、印刷前段階で４〜５分、印刷で３０秒と時間が非常に掛かることで、ユーザの使い勝手が悪い問題がある。このように、特許文献５で提案されている方法は、版を使用しない電子写真（ＰＰＣ）やインキジェット方式等のプリンタにおいてのみ有効な方法である。
【００１４】
上述したように、印刷物の機密保持という観点において、電子写真（ＰＰＣ）やインキジェット方式等のプリンタ等では有効な方法も、版を作成しなければ印刷できない孔版印刷機に当てはめると色々と問題が発生してしまう。
この孔版印刷機特有の問題に対して、特許文献６では、ネットワーク上に接続されたコンピュータと孔版印刷機の使用において、版胴より使用済みのマスタを除去した後、版胴上に新しい製版済みのマスタを巻き付けるまでの動作を行い、少なくとも以降の印刷動作を禁止する他、すなわち版胴が孔版印刷装置本体に対して着脱自在ないしは挿脱自在に構成されている場合には、新しい製版済みのマスタを巻装した版胴の孔版印刷装置本体からの離脱を禁止する機密モードを解除するための機密解除モードを実行可能に構成した発明が提案されている。すなわち、コンピュータからの第１の解除コードと孔版印刷機からの第２の解除コードとが一致しなければ、上記機密モードの実行状態および版胴の孔版印刷機本体からの離脱禁止状態のうちの少なくとも一方を解除する機密解除モードの実行を行うことができないように構成したものである。
【００１５】
しかしながら、この方法では、コンピュータからの第１の解除コードと孔版印刷機からの第２の解除コードとを一致させる必要があること、またコンピュータと孔版印刷機の双方で作業が必要である。つまり、機密モードが実行されて、印刷待ち状態になっている印刷ジョブは、コンピュータでの解除コード作成作業と孔版印刷機で解除コードを一致させる作業とを一々実施しなければ、機密モードを解除して印刷再開させることができない。
従って、不特定多数のユーザとして、例えば機密を守る義務のある複数の教師や職員などがいる学校を例にとると、コンピュータのある場所（学校で言えば例えば職員室）と孔版印刷機が設置されている場所（例えば印刷室）とが離れている情況において、ハードコピーである原稿を使用して印刷を実施するために孔版印刷機の前に行ったとしても、機密モードが設定されている場合には、その場で解除することが不可能である。すなわち、一旦、コンピュータに戻り、第１の解除コードを作成する作業をして、孔版印刷機の前に戻り、第２の解除コード作成する作業を行って第１の解除コードと一致させることで、始めて機密モードを解除させて印刷動作を行うことができる。このように、不特定多数のユーザがいる場合には、機密モードが実行されていて印刷が即実行されない場合には、使い勝手が悪いという問題がある。
【００１６】
そこで、割り込みで印刷作業を可能とする印刷システムおよび両面印刷方法が特許文献７で提案されている。この特許文献７記載の技術を、孔版印刷装置の機密モードに係る技術に適用した場合、次のような問題点が想定される。すなわち、この場合でも、不特定多数のユーザのうちのある者がコンピュータの操作により製版・印刷動作を実行し、機密モードを実施するような場合、例えば、上記ある者が職員室から印刷室への移動をしている僅かな時間（例えば数十秒〜数分）の間に、他の者により割り込みで製版・印刷作業が実施された場合には、再び、機密モードを実行していた印刷ジョブの製版動作を行わなければならないことになる。よって、この印刷ジョブは結局、２回製版することになってしまう。このように、無制限に割り込み動作を認めてしまうと、前述の例のように、僅か数十秒の差で版を印刷しないで捨ててしまうような版の無駄が発生してしまう問題がある。また、印刷を忘れた場合は、割り込みの度に機密モードへの移行時に再製版が行われ、無駄に版を消費してしまう。
【００１７】
本発明は、上記問題点・事情に鑑みてなされたものであり、機密モードによる印刷ジョブの機密を保持しながら、多人数での効率的な孔版印刷装置ネットワークシステムの使用を提案する。つまり、機密モードによる印刷動作待ちの状態を経過時間により管理し、設定された経過時間を過ぎた場合には、新規印刷ジョブでの割り込み製版による場合を含む製版・印刷動作を実行可能とし、孔版印刷機のユーザの待ち時間の削減と無駄な版を発生させない孔版印刷装置ネットワークシステムを提供することを主な目的とする。その他、後述の実施形態等に記載の利点・効果を得ることも目的としている。
【課題を解決するための手段】
【００１８】
本発明は、上述した課題を解決して上記目的を達成するために、請求項ごとの発明においては以下の手段・構成を採用していることを特徴とするものである。
請求項１記載の発明は、マスタを穿孔製版する製版部、製版済みのマスタを巻装する版胴を備え、該版胴上の製版済みのマスタに前記版胴の内周側からインキを供給すると共に被印刷媒体を押し付けて被印刷媒体に印刷画像を形成する印刷部および前記版胴上の使用済みのマスタを排版する排版部を具備する孔版印刷装置と、該孔版印刷装置と通信可能に接続されたコンピュータとで構成され、前記コンピュータからの信号に基づいて前記孔版印刷装置が作動すると共に割り込み製版・印刷が可能に構成されている孔版印刷装置ネットワークシステムにおいて、前記孔版印刷装置ネットワークシステムは、前記版胴より使用済みのマスタを除去する排版動作後、前記版胴上に新しい製版済みのマスタを巻装する製版給版動作までを行い、少なくとも以降の印刷動作を禁止する機密モードを設定する機密モード設定手段と、前記機密モード設定手段からの機密モード設定信号に基づいて、前記機密モードを実行するように前記製版部、前記排版部および前記印刷部を制御する制御手段と、前記少なくとも印刷動作が実行されていない前記機密モードの実行状態を解除する機密モード解除手段とを有し、前記機密モード解除手段での機密モード解除条件として、前記機密モードが実行されている前記版胴上の製版済みのマスタの製版給版指令に関しての、前記コンピュータからの信号が送信された時点から前記給版動作が完了する時点までの間の何れかの時点を起点とする経過時間を条件に設定し、この経過時間内は前記割り込み製版を禁止していることを特徴とする。
【００１９】
ここで、「少なくとも以降の印刷動作を禁止する機密モード」とは、例えば、上記特許文献の段落「００１７」に記載されているような状態・構成が含まれる。すなわち、機密保持すべき新しい製版済みのマスタを巻装した状態での印刷動作を禁止する他、版胴が孔版印刷装置本体に対して着脱自在ないしは挿脱自在に構成されている場合には、機密保持すべき新しい製版済みのマスタを巻装した版胴の孔版印刷装置本体からの離脱を禁止することを含むことを意味する。
【００２０】
請求項２記載の発明は、請求項１記載の孔版印刷装置ネットワークシステムにおいて、前記機密モード解除を実行するか否かを前記コンピュータおよび前記孔版印刷装置の少なくとも一方で設定可能であることを特徴とする。
【００２１】
請求項３記載の発明は、請求項１または２記載の孔版印刷装置ネットワークシステムにおいて、前記経過時間が、前記コンピュータおよび前記孔版印刷装置の少なくとも一方で任意に設定可能であることを特徴とする。
【００２２】
請求項４記載の発明は、請求項１ないし３の何れか一つに記載の孔版印刷装置ネットワークシステムにおいて、前記機密モード解除手段により前記機密モードが解除された状態を、前記コンピュータおよび前記孔版印刷装置の少なくとも一方で報知することが可能であることを特徴とする。
【００２３】
請求項５記載の発明は、請求項１ないし４の何れか一つに記載の孔版印刷装置ネットワークシステムにおいて、前記コンピュータは、前記機密モード設定手段による前記機密モードから前記印刷動作を実行可能にする第１の印刷動作実行コードを生成する第１の印刷実行コード生成手段を備えており、前記孔版印刷装置は、第１の印刷動作実行コードと同一の第２の印刷動作実行コードを生成する第２の印刷動作実行コード生成手段を備えており、前記経過時間が経過し、かつ、前記機密モードが解除された状態の場合に、第１の印刷実行コードと第２の印刷動作実行コードとが一致すれば、前記印刷動作可能とすることを特徴とする。
【発明の効果】
【００２４】
以上述べたように、本発明によれば、前述したような従来技術の有する諸問題点を解決して新規な孔版印刷装置ネットワークシステムを実現し提供することができる。請求項毎の発明の効果を挙げれば次のとおりである。
請求項１記載の発明によれば、前記構成により、機密モードが長時間に亘って実行され、新規印刷ジョブでの割り込み製版による場合を含めて製版・印刷動作を実行可能とし、次の製版・印刷が実行できない情況が発生することを防止でき、孔版印刷装置ネットワークシステムの生産性効率をアップさせることが可能となる。
【００２５】
請求項２記載の発明によれば、前記構成により、個々のユーザの使用状況に応じて、機密モード解除を行うか否かを設定できるので、孔版印刷装置ネットワークシステムの生産性効率をさらにアップさせることが可能となる。
【００２６】
請求項３記載の発明によれば、前記構成により、個々のユーザの使用状況に応じて、機密モードを解除する時間を設定できるので、孔版印刷装置ネットワークシステムの生産性効率をよりアップさせることが可能となる。
【００２７】
請求項４記載の発明によれば、前記構成により、個々のユーザは、コンピュータおよび孔版印刷装置の少なくとも一方で孔版印刷装置ネットワークシステムの状態を知ることができ、孔版印刷装置ネットワークシステムの生産性効率をより一層アップさせることが可能となる。
【００２８】
請求項５記載の発明によれば、前記構成により、何らかの事情で、機密モードが実行され、その後に、機密モードが解除された印刷ジョブに基づき印刷することが可能であるので、その印刷ジョブの版を無駄には破棄することがない。つまり、印刷を実施しないで未使用の製版済みのマスタの破棄を繰り返すだけのマスタの消費を節約することができ、無駄な費用を抑えることが可能となる。
【発明を実施するための最良の形態】
【００２９】
以下、図を参照して発明を実施するための最良の形態や実施例等を含む本発明の実施の形態（以下、「実施形態」という）を説明する。各実施形態や各変形例等に亘り、同一の機能および形状等を有する部材や構成部品等の構成要素については、一度説明した後では同一符号を付すことによりその説明を省略する。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００３０】
まず、図１を参照して、本発明の一実施形態を示す製版印刷一体型かつデジタル感熱式の孔版印刷装置１の全体構成を簡単に説明する。図１において、符号２は、孔版印刷装置１の骨組みをなす孔版印刷装置本体を示す。
孔版印刷装置１の基本的な装置構成（ハードウェア）は、本出願人および本発明者が提案した特開２００６−３４３９７１号公報の図１に示した孔版印刷装置（１）と一部を除き同一であるため、以下、簡単に説明する。
【００３１】
孔版印刷装置１は、図１に示すように、同図の右側上方に配置されロール状に巻かれたマスタ８ａを製版し移送する製版手段４、後述する切断手段５、マスタ搬送手段６およびマスタ送り出し手段７等を具備した製版・給版装置とも呼ばれる製版部としての製版書込装置３と、孔版印刷装置本体２の上部に配置され原稿載置台１０上から自動的に移送される原稿２０の画像を読み取る原稿読取装置９と、同図におけるほぼ中央部に配置され製版済みのマスタ８ｂを外周面に巻装する版胴を外周部に備えた印刷ドラム３３およびこの印刷ドラム３３の前記版胴外周面（以下、単に「印刷ドラム３３の外周面」ともいう）に対して接離自在であり該印刷ドラム３３上の製版済みのマスタ８ｂに被印刷媒体としての用紙Ｐを押し付ける押圧手段としてのプレスローラ５４等を有する印刷部としての給版・ドラム装置３２と、製版書込装置３の下方に配置され給紙台としての給紙トレイ４８上の用紙Ｐを印刷ドラム３３とプレスローラ５４との間に向けて給送する給紙装置４７と、印刷ドラム３３を挟んで製版書込装置３に対向して配置され印刷ドラム３３上の使用済みのマスタ８ｃを剥離・廃棄する排版部としての排版装置６２と、この排版装置６２の下方に配置され印刷された用紙Ｐを印刷ドラム３３から剥離して排紙台としての排紙トレイ６１に排出する排紙装置５６と、前記各装置に指示を与えて所望する動作を行わせるように操作したり、前記各装置の状態を報知するための図２等に示す操作パネル８５と、図７に示す制御装置１００とから主に構成されている。
【００３２】
孔版印刷装置１の全体構成は、後で動作と共に随時補足説明するとおり、図２に示す操作パネル８５および図１および図７に示す制御装置１００における本発明の特有の構成を除き、全て周知のものである。それ故に、本実施形態では、従来の制御装置の制御構成を少し変更するというだけで、前述および後述する利点・効果を奏するものである。従って、制御装置１００を除き、前記各装置構成に代えて、現在まで周知で同様の機能を有する装置構成で置き換えても勿論構わない。
【００３３】
製版書込装置３は、図１において矢印で示すマスタ搬送方向Ｘ１の上流側から下流側に配設された順に、マスタ支持部材２１と、製版手段４を構成するサーマルヘッド２２と、製版手段４を構成するプラテンローラ２３と、切断手段５と、マスタ搬送手段６と、ガイド板２９と、マスタ送り出し手段７と、一対のマスタガイド板２８等とを具備している。
製版書込装置３の前記各構成要素等を含めた周りの詳細は、前記特開２００６−３４３９７１号公報の段落「００３５」〜「００３９」に記載したものと同様であり、本実施形態でもそれらを使用している。
【００３４】
プラテンローラ２３とマスタ搬送手段６との間、およびマスタ搬送手段６とマスタ送り出し手段７との間のマスタ搬送路上には、搬送されてくるマスタ８ａの先端等を検知するためのマスタ検知手段がそれぞれ配設されている。これらのマスタ検知手段としては、例えば特開平９−２２６０８８号公報の図１等に記載されている反射型の光学センサからなるマスタ先端検知センサ（６３（６３Ｂ，６３Ｃ））と同様であり、前記各マスタ搬送路上でマスタ搬送ジャム等で滞留しているマスタ８ａを検出するための機能も有する。
【００３５】
図７において、製版書込装置３の主な駆動回路としては、製版書込装置３の制御対象駆動手段であるサーマルヘッド２２を駆動する前記サーマルヘッド駆動回路等を備えた製版部駆動回路８１と、同制御対象駆動手段であるカッタモータ２４Ａを駆動するカッタ駆動回路８２と、同制御対象駆動手段である第１のステッピングモータ２３Ａおよび第２のステッピングモータ２６Ａを駆動するマスタ搬送部駆動回路８３とが設けられている。
【００３６】
原稿読取装置９は、図１において矢印で示す原稿搬送方向Ｘ２の上流側から下流側に配設された順に、原稿載置台１０と、原稿搬送手段を構成する原稿搬送ローラ１１および原稿搬送コロ１２と、原稿検知手段としての原稿先端検知センサ１３と、画像読取手段としての密着イメージセンサ（以下、「ＣＩＳ」と略記する）１４を備えた画像読取部１９と、圧板（白基準板）１５と、原稿排紙ローラ１６および原稿排紙コロ１７と、原稿受け台１８等とを具備している。
原稿読取装置９の前記各構成要素等を含めた周りの詳細は、前記特開２００６−３４３９７１号公報の段落「００４２」〜「００４４」に記載したものと同様であり、本実施形態でもそれらを使用している。
【００３７】
図７において、原稿読取装置９の主な駆動回路としては、原稿読取装置９の制御対象駆動手段であるステッピングモータ１１Ａを駆動するステッピングモータ駆動回路とＣＩＳ１４を駆動する駆動回路とが設けられており、これらを総称して読取部駆動回路７４とする。
【００３８】
給版・ドラム装置３２は、前記した印刷ドラム３３と、係止手段としてのクランパ３５と、インキ供給手段３６と、図７にのみ示す周知のインキ検知センサ１１１と、図７のみに示す回転位置検出手段１１５と、印刷ドラム３３外周面上に巻装される製版済みのマスタ８ｂの有無を検知される、すなわち着版したか否かを検知される被検知手段・部材としてのセンサ反応部材（図示せず）と、製版済みのマスタ８ｂが印刷ドラム３３外周面上に着版したか否かを検知する着版検知手段としての着版検知センサ７３と、プレスローラ５４等とを具備している。
給版・ドラム装置３２の前記各構成要素等を含めた周りの詳細は、前記特開２００６−３４３９７１号公報の段落「００４６」〜「００５２」に記載したものと同様であり、本実施形態でもそれらを使用している。
【００３９】
製版済みのマスタ８ｂを印刷ドラム３３の外周面に巻装する給版手段は、前記したマスタ送り出し手段７、これを駆動する第２のステッピングモータ２６Ａ、クランパ３５を備えた印刷ドラム３３、これらをそれぞれ駆動する前記クランパモータ、メインモータ４０から主に構成される。
【００４０】
図７において、給版・ドラム装置３２の主な駆動回路としては、給版・ドラム装置３２の制御対象駆動手段である第２のステッピングモータ２６Ａを駆動するステッピングモータ駆動回路（図示せず）と、同制御対象駆動手段であるメインモータ４０を駆動するモータ駆動回路（図示せず）と、同制御対象駆動手段である前記クランパモータを駆動するモータ駆動回路（図示せず）とが設けられており、これらを総括的に印刷部駆動回路７９とする。
【００４１】
給版・ドラム装置３２において、印刷ドラム３３は、インキ供給手段３６等と共に孔版印刷装置本体２に対して着脱自在ないしは挿脱自在なドラムユニット（版胴ユニット）を構成している。このドラムユニットは、例えば特許文献６の図４に示されていると同様の駆動機構によって選択的に回転駆動されると共に、孔版印刷装置本体２からの取り外し・離脱が可能となっている。
【００４２】
給紙装置４７は、給紙トレイ４８と、用紙サイズ検知センサ１１０と、給紙ローラ４９、分離部材５０Ａおよび分離ローラ５０から構成される給紙手段４６と、レジスト手段としてのレジストローラ対５１と、一対のガイド板５２，５３と、用紙検知センサ１１２等とを具備している。
給紙装置４７の前記各構成要素等を含めた周りの詳細は、前記特開２００６−３４３９７１号公報の段落「００５５」〜「００５９」に記載したものと同様であり、本実施形態でもそれらを使用している。
【００４３】
図７において、給紙装置４７の主な駆動回路としては、給紙装置４７の制御対象駆動手段である前記給紙トレイ昇降モータ、前記給紙モータ、前記レジストモータを駆動する各モータ駆動回路が設けられており、これらを総称して給紙部駆動回路７７とする。
【００４４】
排版装置６２は、駆動ローラ６７、従動ローラ６８およびゴムベルト６９から構成される上部排版部材６３、駆動ローラ６７、従動ローラ７１およびゴムベルト７２とから構成される下部排版部材６４、排版検知センサ１１３、排版ボックス６５等を具備している。印刷ドラム３３上の使用済みのマスタ８ｃを排版する排版手段は、上部排版部材６３、下部排版部材６４、前記移動手段、前記排版モータから主に構成される。
排版装置６２の前記各構成要素等を含めた周りの詳細は、前記特開２００６−３４３９７１号公報の段落「００６１」〜「００６２」に記載したものと同様であり、本実施形態でもそれらを使用している。
【００４５】
図７において、排版装置６２の主な駆動回路としては、排版装置６２の制御対象駆動手段である前記排版モータ、前記移動手段、前記排版圧縮モータの各モータ駆動回路が設けられており、これらを総称して排版部駆動回路７５とする。
【００４６】
排紙装置５６は、剥離爪５５と、従動ローラ５７、駆動ローラ５８、無端ベルト５９、吸引ファン６０等から主に構成される排紙搬送手段と、印刷済みの用紙の通過を検知することにより、印刷枚数をカウントするための排紙検知センサ１１４と、排紙トレイ６１等とを具備している。
排紙装置５６の前記各構成要素等を含めた周りの詳細は、前記特開２００６−３４３９７１号公報の段落「００６４」〜「００６６」に記載したものと同様であり、本実施形態でもそれらを使用している。
【００４７】
図７において、排紙装置５６の主な駆動回路としては、排紙装置５６の制御対象駆動手段である前記排紙モータを駆動するモータ駆動回路（図示せず）と、同制御対象駆動手段である前記排紙搬送手段のファン駆動モータを駆動するモータ駆動回路（図示せず）とが設けられており、これらを総称して排紙部駆動回路７８とする。
【００４８】
図２を参照して、操作パネル８５を説明する。
操作パネル８５は、原稿読取装置９の上部の一側部に配設されている。操作パネル８５には、図２に示すように、製版スタートキー８６、印刷スタートキー８７、試し刷りキー８８、テンキー８９、モードクリアキー９１、エンターキー９２、４方向キー（カーソルキー）９３、クリア／ストップキー９４、選択設定キー（ファンクションキー）９５ａ，９５ｂ，９５ｃ，９５ｄ、ＬＣＤ（液晶表示装置）からなる液晶表示部９８等が配設されている。
【００４９】
製版スタートキー８６は、原稿２０の画像読取から排版、製版、給版、版付け印刷、排紙の各工程に至るまでの一連の工程（動作）を起動・設定するための起動手段としての機能を有する。
印刷スタートキー８７は、孔版印刷装置１に印刷動作を行わせる際に押下され、孔版印刷装置１が印刷待機状態となり各種印刷条件が設定された後に印刷スタートキー８７が押下されることにより印刷動作が行われる。
試し刷りキー８８は、孔版印刷装置１に試し刷りを行わせる際に押下され、各種条件が設定された後に試し刷りキー８８が押下されることにより１枚だけ印刷が行われる。テンキー８９は、印刷枚数等の数値入力等に用いられる。
【００５０】
モードクリアキー９１は、各種のモードをクリアして初期状態に戻す際に押下される。エンターキー９２は、各種設定時に数値等を設定する際に、４方向キー９３は、上キー、下キー、左キー、右キーを有しており、画像編集時に画像位置を調整する場合あるいは各種設定時に数値や項目等を選択する場合等に押下される。
クリア／ストップキー９４は、孔版印刷装置１の動作を停止させる際あるいは置数のクリア時に押下される。
【００５１】
液晶表示部９８は、各種情報を表示・報知する表示・報知手段としての機能を有する。液晶表示部９８は、階層表示構造となっており、その下方に設けられた選択設定キー９５ａ，９５ｂ，９５ｃ，９５ｄを選択して押下することにより、原稿種類や用紙種類、変倍や印刷画像の位置調整等の様々なモードへの変更および各モードでの設定が可能に構成されている。また、液晶表示部９８には、図３に示したように「製版・印刷できます。」および「機密モードが設定されています。」のような孔版印刷装置１の状態が表示される他、機密モード設定の有無、機密モード実行の有無、機密モードが解除されたか否か、機密モード解除条件設定画面の表示、製版あるいは排版ジャム、給紙あるいは排紙ジャム等の警告、用紙、マスタ、インキ等のサプライの供給指示等も表示される。
【００５２】
本実施形態では孔版印刷装置１の各装置・各部に電力を供給するための図示しない電源スイッチを投入・オンした際の初期状態として、液晶表示部９８には図３に示すように、「製版・印刷できます。…機密モードが設定されています。」という初期画面表示がなされるようになっている。すなわち、図７に示す制御装置１００（ＣＰＵ１０１）からの指令により、液晶表示部９８の画面が図３に示す初期画面表示となるように図示しない液晶駆動回路が制御され、本実施形態における機密モード設定状態となる。
【００５３】
図３に示す初期画面表示において、選択設定キー９５ａ，９５ｂ，９５ｃ，９５ｄを適宜選択して押下することにより、図５に示す機密モード設定画面に切り替えたり、図６（ａ）に示す機密モード解除設定画面Ａ、図６（ｂ）に示す機密モード解除設定画面Ｂに切り替えたりすることができるように構成されている。さらに、図５に示す機密モード設定画面の表示状態における１または２のモードや、図６（ａ）に示す機密モード解除設定画面Ａの表示状態における１または２のモードを、あるいは図６（ｂ）に示す機密モード解除設定画面Ｂの表示状態における機密モード解除実行時間の設定を、４方向キー９３およびエンターキー９２を用いて、あるいはテンキー８９およびエンターキー９２を用いて選択し設定することができるようにも構成されている。
従って、４方向キー９３、テンキー８９、エンターキー９２および選択設定キー９５ａ，９５ｂ，９５ｃ，９５ｄは、機密モードおよび機密モード解除を実行するか否かを選択するモード選択設定手段としての機能を有する。
【００５４】
機密モードおよび機密モード解除設定の状態を解除するには、図４において、選択設定キー９５ａ，９５ｂ，９５ｃ，９５ｄを適宜選択して押下することにより、同図に示す表示画面に切り替えた上で、テンキー８９およびエンターキー９２を用いて予め設定されている暗証番号と同一の番号・数値を入力・設定しないと解除できないように構成されている。従って、選択設定キー９５ａ，９５ｂ，９５ｃ，９５ｄ、テンキー８９およびエンターキー９２は、本実施形態における機密モードおよび機密モード解除手段としての機能を有する。
【００５５】
なお、本発明に特有の機密モードおよび機密モード解除を設定する機密モード設定手段、機密モード解除設定手段としては、孔版印刷装置１の初期状態時において、上記図３に示した液晶表示部９８の初期画面表示のように予め設定することに限らず、例えば操作パネルに専用の「機密モード設定キー」や「機密モード解除設定キー」を配設して、ユーザが必要に応じて任意に設定することも勿論可能である。
図２等にはその図示を省略しているが、操作パネル８５には、製版動作と印刷動作とを連続して行う際に押下される連続キー、よく行う操作を登録したりそれを呼び出したりする際に押下されるプログラムキー、印刷速度設定キー等の周知の各種キー、主に印刷枚数等の数字を表示するための７セグメントＬＥＤ（発光ダイオード）からなる表示部なども配設されている。
【００５６】
図７を参照して、孔版印刷装置１の主な制御構成を説明する。
図７において、制御装置１００は、孔版印刷装置１の原稿読取動作、排版動作、製版・給版動作、給紙動作、印刷動作および排紙動作を制御する制御手段としての機能・構成を有する。制御装置１００は、演算および制御機能を備えたＣＰＵ１０１（中央演算処理装置）、図示しないＩ／Ｏ（入出力）ポート、ＲＯＭ１０２（読み出し専用記憶装置）、ＲＡＭ１０３（読み書き可能な記憶装置）および電池等でバックアップされた図示しないタイマ等を備え、それらが図示しない信号バスによって接続された構成を有するマイクロコンピュータを具備している。
【００５７】
制御装置１００は、孔版印刷装置１内の図示しない制御基板配置部に設けられている。制御装置１００のＣＰＵ１０１（以下、説明の簡明化を図るためおよび前後の文脈から明らかである場合には単に「制御装置１００」ともいう）は、操作パネル８５からの各種信号および孔版印刷装置１内に設けられた前記した各種センサ・回転位置検出手段１１５等からの検知信号およびＲＯＭ１０２から呼び出された動作プログラムに基づいて、操作パネル８５の液晶表示部９８を駆動する液晶駆動回路（図示せず）、読取部駆動回路７４、排版部駆動回路７５、製版部駆動回路８１、カッタ駆動回路８２、マスタ搬送部駆動回路８３、印刷部駆動回路７９、給紙部駆動回路７７、排紙部駆動回路７８等に接続された制御対象となる前述した各駆動手段の作動および画像信号処理装置４４等を制御し、孔版印刷装置１全体の動作を制御する機能を有する他、本実施形態に特徴的な後述の制御機能を有している。
【００５８】
図７に示した原稿の光学情報、Ａ／Ｄ変換装置４３、画像信号処理装置４４、画像メモリ４５および制御装置１００周りについて補説する。
原稿読取装置９の画像読取部１９により、原稿２０の画像を原稿反射の光学情報として読み取り、ＣＩＳ（密着イメージセンサ）１４で光電変換された原稿２０の画像データに係るアナログの画像信号は、孔版印刷装置本体２の図示しない制御基板に設けられたＡ／Ｄ変換装置４３に送信される。Ａ／Ｄ変換装置４３は、上記アナログの画像信号を受け原稿２０の画像データに係るデジタルの画像信号に変換する。Ａ／Ｄ変換装置４３で変換された原稿２０の画像データに係るデジタルの画像信号は、前記制御基板に設けられた画像信号処理装置４４に送信され、ここで孔版印刷用に必要な変換処理（鏡像画像変換処理を含む）を施されて、原稿２０の変換画像データに係る２値のデジタルの画像信号（以下、単に「デジタル画像信号」ともいう）となる。このデジタル画像信号は、画像信号処理装置４４によって画像メモリ４５に送信され、デジタル画像信号として画像メモリ４５に記憶・記録される。
【００５９】
上記のとおり、画像信号処理装置４４は、原稿読取装置９によって取得した原稿２０の画像データをＡ／Ｄ変換装置４３を介して孔版印刷用に変換処理を施す画像処理手段としての機能を有する。画像信号処理装置４４により、孔版印刷用に変換処理を施されて送信されてくるデジタル画像信号（原稿２０の変換画像データ）としては、周知のように、例えば２値の画像データにおける黒画素に対応した「１」がマスタ８ａの熱可塑性樹脂フィルムの溶融穿孔に係るデジタル画像信号であり、白画素に対応した「０」がマスタ８ａの熱可塑性樹脂フィルムの溶融穿孔に係わらないデジタル画像信号である。
画像メモリ４５は、画像信号処理装置４４で孔版印刷用に変換処理を施されて送信されてくるデジタル画像信号（原稿２０の変換画像データ）を記憶する変換画像データ記録手段としての機能を有する。
画像メモリ４５は、少なくとも１版分の製版画像に対応したデジタルの画像信号を記憶する構成および記憶容量を有し、広義のＲＡＭとして、例えばバックアップ電源（図示せず）によってバックアップされたＲＡＭ（ＳＲＡＭ）や、フラッシュメモリからなる。
【００６０】
画像信号処理装置４４は、制御装置１００と相互にシリアル通信を行い、製版部駆動回路８１等の制御に必要な信号を送信する。また、画像信号処理装置４４は、Ａ／Ｄ変換装置４３からのデジタルの画像信号を受け、少なくとも１版分の製版画像に対応した信号処理を施してデジタル画像信号として画像メモリ４５に出力し、かつ、画像メモリ４５に一度記憶された少なくとも１版分の製版画像に対応したデジタル画像信号を順次呼び出しながら、マスタ８ａに形成すべき１版分の製版画像の画像量を検知・認識し、サーマルヘッド駆動回路を備えた製版部駆動回路８１を制御する機能を有する。製版部駆動回路８１は、ＣＰＵ１０１からの指令により、サーマルヘッド２２を駆動する機能を有する。
なお、本実施形態では、便宜的に図示しない製版制御装置を備えた制御装置１００を介して画像信号処理装置４４から製版部駆動回路８１へ接続するように構成したが、製版部駆動回路８１を介してサーマルヘッド２２に送られるデジタル画像信号のデータ量が大きいので、画像信号処理装置４４から図示しない製版制御装置を介して製版部駆動回路８１へ接続するように構成するのが一般的である。
【００６１】
一方、図７に示すように、孔版印刷装置１には、コンピュータの一例としてのパーソナルコンピュータ（以下、「ＰＣ」または「パソコン」ともいう）２００が図示しないＩ／Ｆ（インターフェース装置）および前記制御基板に配置されている画像信号展開装置４２を介して、孔版印刷用に変換処理を施された変換画像データとしてのデジタル画像信号を画像メモリ４５に送信するように図示しない通信ケーブルを介して接続されている。
このように、ＰＣ２００は孔版印刷装置１と通信可能に接続されており、ＰＣ２００からの信号に基づいて孔版印刷装置１が作動する孔版印刷装置ネットワークシステムを構成している。
【００６２】
画像信号展開装置４２は、ＰＣ２００から送信されてくるデジタルの画像データを孔版印刷用に必要な変換処理（鏡像画像変換処理を含む）を施す画像処理手段としての機能を有する。画像信号展開装置４２により、孔版印刷用に変換処理を施されて送信されてくるデジタル画像信号（ＰＣ２００からの変換画像データ）は、例えば２値の画像データにおける黒画素に対応した「１」がマスタ８ａの熱可塑性樹脂フィルムの溶融穿孔に係るデジタル画像信号であり、白画素に対応した「０」がマスタ８ａの熱可塑性樹脂フィルムの溶融穿孔に係わらないデジタル画像信号である。
【００６３】
制御装置１００（ＣＰＵ１０１）は、ＰＣ２００からの製版スタート信号に基づいて、画像メモリ４５に入力された変換画像データ（デジタル画像信号）を呼び出して製版すべく、製版部駆動回路８１を介してサーマルヘッド２２を駆動制御すると共に、マスタ搬送部駆動回路８３を介して第１のステッピングモータ２３Ａを駆動制御することによりプラテンローラ２３、搬送駆動ローラ３０および搬送従動ローラ３１を作動させてマスタ８ａを穿孔製版・搬送し、マスタ搬送部駆動回路８３を介して第２のステッピングモータ２６Ａを駆動制御することにより送り出し駆動ローラ２６、送り出し従動ローラ２７を作動させ、かつ、印刷部駆動回路７９を介して前記クランパモータ、メインモータ４０を駆動制御することによりクランパ３５および印刷ドラム３３を作動させて、印刷ドラム３３の外周面上へ製版済みのマスタ８ｂを着版させ、着版検知センサ７３からの正常な着版終了に係る信号を受信した後に、「版付け」動作を含む印刷動作を実行しないで、印刷待機状態とすることで機密モードを実行する第１の制御手段としての第１の機能を有する。
【００６４】
制御装置１００（ＣＰＵ１０１）は、第１の機能に係る機密モードを実行するか否かを選択・設定する選択設定キー９５ａ〜９５ｄ（モード選択設定手段）の押下操作によって「機密モード」が有効に設定されたとき、その信号に基づいて第１の機能に係る機密モードを実行する第２の制御手段としての第２の機能を有する。
【００６５】
制御装置１００（ＣＰＵ１０１）は、前記図示しない内部のタイマによって経時される経過時間に係るデータ信号、すなわち、前述の機密モードを解除する機密モード解除の条件として、機密モードが実行されている印刷ドラム３３上の製版済みのマスタ８ｂの製版給版指令に関しての、ＰＣ２００からの信号が送信された時点から、その信号に基づいて給版動作が完了した時点までの間の何れかの時点を起点とする経過時間に係るデータ信号に基づいて、機密モードが実行されてからの経過時間を計算・カウントし、機密モード実行状態から機密モード解除実行状態として、機密モードの解除を行う第３の制御手段としての第３の機能を有する。
【００６６】
また、制御装置１００（ＣＰＵ１０１）は、第３の機能に係る機密モード解除を実行する経過時間を選択・設定する選択設定キー９５ａ〜９５ｄ（モード選択設定手段）の押下操作によって機密モードを解除する経過時間を設定されたとき、その信号に基づいて第３の機能に係る機密モード解除を実行する第４の制御手段としての第４の機能を有する。
【００６７】
制御装置１００（ＣＰＵ１０１）は、前記「機密モード」が実行されている場合に、予め設定された時間が経過した時、前記「機密モード」を解除し、ＰＣ２００からの製版スタート信号に基づいて、画像メモリ４５に入力された新たな変換画像データ（デジタル画像信号）に応じて製版すべく、印刷ドラム３３の外周面上へ着版している印刷が未終了の製版済みのマスタ８ｂを排版部駆動回路７５を介して、排版装置６２を作動させ、印刷ドラム３３の外周面上より剥離・廃棄する。その後、前述のように製版部駆動回路８１を介してサーマルヘッド２２を駆動制御すると共に、マスタ搬送部駆動回路８３を介して第１のステッピングモータ２３Ａを駆動制御することによりプラテンローラ２３、搬送駆動ローラ３０および搬送従動ローラ３１を作動させてマスタ８ａを穿孔製版・搬送し、マスタ搬送部駆動回路８３を介して第２のステッピングモータ２６Ａを駆動制御することにより送り出し駆動ローラ２６、送り出し従動ローラ２７を作動させ、かつ、印刷部駆動回路７９を介して前記クランパモータ、メインモータ４０を駆動制御することによりクランパ３５および印刷ドラム３３を作動させて、印刷ドラム３３の外周面上へ製版済みのマスタ８ｂを着版させ、着版検知センサ７３からの正常な着版終了に係る信号を受信した後に、「版付け」動作を含む印刷動作を実行しないで、印刷待機状態とすることを可能とする「機密モード解除」を実行する第５の制御手段としての第５の機能を有する。
【００６８】
また、制御装置１００（ＣＰＵ１０１）は、第３の機能に係る機密モード解除を実行するか否かを選択・設定する選択設定キー９５ａ〜９５ｄ（モード選択設定手段）の押下操作によって「機密モード解除」が有効に設定されたとき、その信号に基づいて第５の機能に係る機密モード解除を実行する第６の制御手段としての機能を有する。
【００６９】
また、制御装置１００（ＣＰＵ１０１）は、前記「機密モード」が実行されている場合に、予め設定された時間が経過した時、前記「機密モード」を解除し、製版スタートキー８６からの製版スタート信号に基づいて、ＣＩＳ１４から入力された新たな画像データに対応して画像メモリ４５に記録されている新たな変換画像データ（デジタル画像信号）に応じて製版すべく、印刷ドラム３３の外周面上へ着版している印刷が未終了の製版済みのマスタ８ｂを排版部駆動回路７５を介して、排版装置６２を作動させ、印刷ドラム３３の外周面上より剥離・廃棄する。その後、前述のように製版部駆動回路８１を介してサーマルヘッド２２を駆動制御すると共に、マスタ搬送部駆動回路８３を介して第１のステッピングモータ２３Ａを駆動制御することによりプラテンローラ２３、搬送駆動ローラ３０および搬送従動ローラ３１を作動させてマスタ８ａを穿孔製版・搬送し、マスタ搬送部駆動回路８３を介して第２のステッピングモータ２６Ａを駆動制御することにより送り出し駆動ローラ２６、送り出し従動ローラ２７を作動させ、かつ、印刷部駆動回路７９を介して前記クランパモータ、メインモータ４０を駆動制御することによりクランパ３５および印刷ドラム３３を作動させて、印刷ドラム３３の外周面上へ製版済みのマスタ８ｂを着版させ、着版検知センサ７３からの正常な着版終了に係る信号を受信した後に、「版付け」動作を含む印刷動作を実行しないで、印刷待機状態とすることを可能とする「機密モード解除」を実行する第７の制御手段としての第７の機能を有する。
【００７０】
また、制御装置１００（ＣＰＵ１０１）は、第５の機能に係る機密モード解除を実行するか否かを選択・設定する選択設定キー９５ａ〜９５ｄ（モード選択設定手段）の押下操作によって「機密モード解除」が有効に設定されたとき、その信号に基づいて第７の機能に係る機密モード解除を実行する第８の制御手段としての第８の機能を有する。
【００７１】
また、制御装置１００（ＣＰＵ１０１）は、前述の機密モードのみ、または機密モードと機密モード解除が有効に設定されている場合に、ＰＣ２００からの製版スタート信号および画像メモリ４５に画像データが入力された時点で、ＰＣ２００に対して、画像メモリ４５に入力された画像データに対応する認証データを作成し、そのデータ信号をＰＣ２００に送信する第９の制御手段としての第９の機能を有する。
【００７２】
また、制御装置１００（ＣＰＵ１０１）は、前述の機密モードのみ、または機密モードと機密モード解除が有効に設定されている場合に、ＰＣ２００に対して、画像メモリ４に入力された画像データに対応する認証データを作成し、そのデータ信号をＰＣ２００に送信し、印刷ドラム３３の外周面上へ製版済みのマスタ８ｂが正常に着版され、「版付け」動作を含む印刷動作を実行しないで、印刷待機状態となっている場合に、操作パネル８５から入力された認証データが、印刷ドラム３３の外周面上へ着版されている製版済みのマスタ８ｂの画像データに対応する認証データと合致するか否かを識別・判断し、合致した場合には、印刷スタートキー８７または試し刷りキー８８からの信号に基づいて、印刷または試し印刷を実行し、合致しない場合には、印刷スタートキー８７または試し刷りキー８８からの信号が入力されても、印刷または試し印刷を実行しないという機密モードを実行する第１０の制御手段としての第１０の機能を有する。
【００７３】
また、制御装置１００（ＣＰＵ１０１）は、前述の機密モードおよび機密モード解除が有効に設定されていて、機密モードが実行された後、予め設定された経過時間が経過後、機密モード解除により、実行されている機密モードが解除された場合には、予めＰＣ２００に対して、画像メモリ４５に入力された画像データに対応する認証データを作成し、そのデータ信号をＰＣ２００に送信し、印刷ドラム３３の外周面上へ製版済みのマスタ８ｂが正常に着版され、「版付け」動作を含む印刷動作を実行しないで、印刷待機状態より、操作パネル８５から入力された認証データが、印刷ドラム３３の外周面上に着版されている製版済みのマスタ８ｂの画像データに対応する認証データと合致するか否かを識別・判断し、合致した場合には、印刷スタートキー８７または試し刷りキー８８からの信号に基いて、印刷または試し印刷を実行し、合致しない場合には、印刷スタートキー８７または試し刷りキー８８からの信号が入力されても、印刷または試し印刷を実行しないという第１１の制御手段としての第１１の機能を有する。
【００７４】
第１〜第１１の制御手段としての第１〜第１１の機能を有する制御装置１００は、本実施形態のように孔版印刷装置１の制御基板に配設した例に限らず、例えば、孔版印刷装置１とＰＣ２００とを通信可能に接続しているインターフェース装置の制御手段（図示せず）に持たせたり、あるいは孔版印刷装置１の制御装置とホストコンピュータ１００の制御装置とで適宜分担してもよい。すなわち、第１〜第１１の制御手段は、孔版印刷装置ネットワークシステム内に有していればよい。
【００７５】
ＲＯＭ１０２には、孔版印刷装置１全体の動作プログラムや必要な関係データ等が予め記憶・格納されており、この動作プログラムや関係データはＣＰＵ１０１によって適宜呼び出される。
ＲＡＭ１０３は、ＣＰＵ１０１の計算結果を一時的に記憶する機能、操作パネル８５上の各種キーおよび各種センサから設定および入力されたデータ信号およびオン／オフ信号を随時記憶する機能等を有している。
また、前記図示しない内部のタイマは、前述の機密モードを解除する機密モード解除の条件として、機密モードが実行されている印刷ドラム３３上の製版済みのマスタ８ｂの製版給版指令に関しての、ＰＣ２００からの信号が発信・送信された時点から、その信号に基づいて給版動作が完了した時点までの間の何れかの時点を起点とする経過時間を計時する計時手段として機能する。
【００７６】
前述の構成に基づき、本実施形態における孔版印刷装置１の操作手順を含む動作について、図８〜図１２のフローチャートに基づいて詳細に説明する。
【００７７】
（動作例１）
制御装置１００（ＣＰＵ１０１）の第１の制御手段としての第１の機能を用いる動作例１を説明する。動作例１は機密モードが有効に設定されている場合の動作であり、図８のフローチャートに示されている。これは、従来において正常に行われる動作とほぼ同様内容の動作に、制御装置１００（ＣＰＵ１０１）の第１の制御手段としての第１の機能により発揮される本実施形態に特有の機密モードに係る動作を付加したものである。
この動作例１は、制御装置１００（ＣＰＵ１０１）による制御の下になされるため、各種モータや各種ソレノイド等のアクチュエータ（制御対象駆動手段）の起動、作動、停止等の詳細動作を説明する際において、制御装置１００（ＣＰＵ１０１）からの指令あるいは指令信号に基づきというような表現をできるだけ省略する。
【００７８】
図１は、前記図示しない電源スイッチをオンした後の初期状態を示している。孔版印刷装置１の初期状態は、図１に示すように、製版書込装置３においてはマスタ支持部材２１に繰り出し自在に装着・セットされた状態のマスタロール８のマスタ８ａ先端が搬送駆動ローラ３０と搬送従動ローラ３１とのニップ部よりマスタ搬送方向Ｘ１に少しはみ出た製版待機位置を占めており、給版・ドラム装置３２において印刷ドラム３３のクランパ３５が図１の左斜めに位置する排版待機位置（ホームポジション）を占めており、給紙装置４７においては給紙トレイ４８上に積載された最上位の用紙Ｐが実線で示すように給紙ローラ４９に当接しない下限位置状態を占めている。
【００７９】
ユーザはＰＣ２００より印刷する画像データを作成終了後、図８において、ＰＣ２００の画面上にて、アプリケーションソフトにある印刷モードを選択し、印刷枚数等の諸条件を入力したのち、ユーザが製版スタートを押すと、スタート信号が生成されて、これが制御装置１００のＣＰＵ１０１に入力される（ステップＳ１）。そこで、ＣＰＵ１０１では孔版印刷装置１で機密モードが実行されているか否かの判断を行う（ステップＳ２）。判断の結果、「機密モードが実行されている」場合には、ＰＣ２００にある表示部に、機密モードが実行されているため製版・印刷不可である旨を表示させる（ステップＳ３）。一方、判断の結果、「機密モードが実行されていない」場合には、ＣＰＵ１０１はＰＣ２００に画像データ（印刷ジョブ）に対応させる認証番号のデータを送信することで、ＰＣ２００の表示部にその旨の表示がなされる（ステップＳ４）。
【００８０】
また、画像データの取得と並行して、孔版印刷装置１では、着版検知センサ７３によって印刷ドラム３３上に使用済みのマスタ８ｃの有ることを検知された場合には、排版装置６２により排版動作を行い、前回の印刷で使用した印刷ドラム３３上の使用済みのマスタ８ｃを剥離・廃棄する（ステップＳ５）。
排版装置６２での排版動作の詳細は、以下のとおりである。先ず、印刷部駆動回路７９の前記クランパモータが作動することによりクランパ３５が開放・拡開された後、排版部駆動回路７５の前記移動手段および印刷部駆動回路７９のメインモータ４０が作動（ステップＳ６）して各駆動ローラ６７，７０および印刷ドラム３３が回転駆動されると共に、下部排版部材６４が印刷ドラム３３側に移動し、駆動ローラ７０の外周面上に位置するゴムベルト７２が使用済みマスタと当接する。すると、印刷ドラム３３の図１中矢印方向の回転およびゴムベルト７２の移動によって印刷ドラム３３の外周面上よりすくい上げられた使用済みのマスタ８ｃは、下都排版部材６４と上部排版部材６３とで挟持搬送されて印刷ドラム３３の外周面より剥離される。剥離された使用済みのマスタ８ｃは排版ボックス６５内に廃棄された後、圧縮板６６の往復揺動運動によって圧縮される。
【００８１】
排版動作が終了する（ステップＳ７）と、画像メモリ４５に記録されているＰＣ２００から送信された変換画像データに係るデジタル画像信号を呼び出しながら、製版動作を開始する（ステップＳ１０〜ステップＳ１３）。ステップＳ１３において、先ず、第１のステッピングモータ２３Ａを起動（回転駆動開始）させることにより、プラテンローラ２３を回転し、次いで所定のタイミングで第２のステッピングモータ２６Ａを少しの時間回転駆動させることにより、マスタ８ａの先端がガイド板２９に案内されつつマスタ送り出し手段７の作動によって製版位置を占めるまでマスタ８ａを搬送する。製版位置までマスタ８ａの先端を搬送完了したと同時に、製版書込装置３では製版書込動作（製版動作）が開始される。すなわち、サーマルヘッド２２の前記多数の発熱素子が主走査方向にパルス状に通電されて選択的に発熟されると共に、第１のステッピングモータ２３Ａが回転駆動されることにより、プラテンローラ２３、マスタ搬送手段６が作動を開始して、マスタロール８からマスタ８ａが引き出されつつマスタ搬送方向Ｘ１に搬送されながら、マスタ８ａの前記熱可塑性樹脂フィルム部分がデジタル画像信号（変換画像データ）に応じて選択的に加熱穿孔される。
この時、第２のステッピングモータ２６Ａは駆動停止していることにより、プラテンローラ２３およびマスタ搬送手段６によりマスタ搬送方向Ｘ１に搬送される画像情報が書き込まれた製版済みのマスタ８ｂは、ガイド板２９の上方にたわみを形成されながら貯容されていく。
【００８２】
一方、印刷ドラム３３の外周面上より使用済みのマスタ８ｃが全て剥離された後も、メインモータ４０の回転駆動により印刷ドラム３３は回転を継続し、クランパ３５がほぼ右横に位置する所定の給版待機位置まで回転して停止する。印刷ドラム３３が給版待機位置で停止すると、印刷部駆動回路７９の前記クランパモータが作動してクランパ３５が開放され、孔版印刷装置１は給版待機状態となる（ステップＳ８〜ステップＳ９）。
【００８３】
そして、ステップＳ１３において、所定の時間停止していた第２のステッピングモータ２６Ａが起動再開されることにより、画像情報が書き込まれた製版済みのマスタ８ｂはマスタ送り出し手段７の作動開始によって、前記たわみの形成を保持されながら送り出され、マスタガイド板２８に案内されつつ前記ステージに対して拡開しているクランパ３５の間に挿入される。そして、第１のステッピングモータ２３Ａのステップ数がある設定値に達し、製版済みのマスタ８ｂの先端部が前記ステージとクランパ３５との間に届いたと判断されると、前記開閉手段の作動によりクランパ３５が閉じられ、製版済みのマスタ８ｂの先端部が前記ステージとクランパ３５との間に吸着・挾持される。
【００８４】
製版済みのマスタ８ｂの先端部のクランプ後、メインモータ４０の回転駆動により印刷ドラム３３がマスタ搬送速度とほぼ同じ周速度で回転を再開して、製版済みのマスタ８ｂがプラテンローラ２３、マスタ搬送手段６およびマスタ送り出し手段７により搬送されて印刷ドラム３３の外周面へ巻装されるべく給版される（ステップＳ１４）。
第１のステッピングモータ２３Ａの所定ステップ数の回転駆動により、マスタ８ａへの製版および設定量（１版分）の製版済みのマスタ８ｂの搬送が終了したと判断されると、切断手段５が作動して製版済みのマスタ８ｂが切断されると共に、第１のステッピングモータ２３Ａの回転駆動が停止されることによりプラテンローラ２３およびマスタ搬送手段６の回転が停止する。  
【００８５】
そして、切断された製版済みのマスタ８ｂの後端が、印刷ドラム３３の回転によって製版書込装置３内から引き出され、印刷ドラム３３の外周面に完全に巻き取られるまで、印刷ドラム３３がほぼ１回転し、印刷ドラム３３の前記した外周面位置に配置された前記センサ反応部材が着版検知センサ７３に対向する位置を占めた際に、着版検知センサ７３より製版済みのマスタ８ｃが正常に巻装・着版されたか否かを判断する（ステップＳ１５）。そして、着版検知センサ７３がオンすることにより、製版済みのマスタ８ｃが正常に巻装・着版されたことが検知されると、制御装置１００（ＣＰＵ１０１）は、印刷ドラム３３への製版済みのマスタ８ｂの巻装が終了することにより、給版動作がしたと判断し、そこで、動作を一旦終了させ、印刷動作待機状態に保持する（ステップＳ１７）ことで、機密モードを自動的に実行する。なお、ステップＳ１５において、着版検知センサ７３がオフしたままで、製版済みのマスタ８ｃが正常に巻装・着版されたことが検知されないときには、マスタに係るジャム表示を操作パネル８５の液晶表示部９８および／またはＰＣ２００のディスプレイに行う（ステップＳ１６）。
【００８６】
引き続き、図９のフローチャートに示されている動作例１に係わる部分について説明する。孔版印刷装置本体２の操作パネル８５にある液晶表示部９８には、図４に示すように、前記画像データ（印刷ジョブ）を実行したユーザへ認証番号の入力を要求する表示を行う（ステップＳ１８）。
この表示をユーザが視認、すなわちＰＣ２００より画像データを印刷指示したユーザが見て、孔版印刷装置本体２の近傍に立ち、操作パネル８５の４方向キー９３、テンキー８９、エンターキー９２および選択設定キー９５ａ，９５ｂ，９５ｃ，９５ｄを用いて前記画像データ（印刷ジョブ）に対応させる認証番号を入力する。ＣＰＵ１０１は、入力された認証番号と画像データ（印刷ジョブ）に付与されている認証番号との照合を行う（ステップＳ１９〜ステップＳ２０）。照合の結果、合致する場合には、ＣＰＵ１０１の指令に基づき、版付け印刷、通常の正規の印刷動作が開始される。すなわち、前記給紙トレイ昇降モータがオンすることにより、給紙トレイ４８が上昇して、最上位の用紙Ｐが給紙ローラ４９に当接することにより、図示しない給紙位置検知センサのオン検知によって最上位の用紙Ｐが給紙可能な状態になったことが制御装置１００により判断されると、給紙装置４７では給紙待機状態となる。さらにこの後、用紙Ｐが給紙部、印刷部、排紙部を通過して排紙トレイ６１上に排出積載される版付け印刷、適宜行われる試し刷り、通常の正規の印刷が行われる（ステップＳ２２〜ステップＳ２３）。版付け印刷、通常の正規の印刷動作等の詳細は、例えば特開２００４-９３２０号公報の段落「０１０５」〜「０１１０」に記載されている内容と同様であり、本発明の要旨部分とも余り関係がなく、また前述した各装置・各部の構成等からも当業者であれば容易に実施できるので、その説明を省略する。
ステップＳ２０において、上記認証番号照合の結果、合致しない場合には、その旨を液晶表示部９８およびＰＣ２００のディスプレイの少なくとも一方に表示し、再度認証番号の入力を要求する表示を行う（ステップＳ２１）。
【００８７】
上述したように、ＣＰＵ１O１にて、ユーザが入力した認証番号と画像データ（印刷ジョブ）に付与されている認証番号との照合を行う動作は、既に既知の動作である。なお、認証番号は、特に番号でなければならないわけではなく、既知のもの、例えば電子データやバーコード、指紋などを利用してもよい。
本実施形態によれば、上述したように、ＰＣ２００からの製版・印刷指令があった場合には、機密モードが実行されていれば、製版または印刷を実施することを制限しているので、他のユーザにより印刷されることがないので、機密保持を行うことができる。また、機密モードが実行されていない場合には、製版ないし給版動作までの動作のみを実行し、印刷動作の実行を制限しているので、他のユーザにより印刷されることがないので、機密保持を確実に行うことができる。
【００８８】
しかしながら、上記の場合、ユーザ本人は製版・印刷指令を出した際に、ＣＰＵ１０１より送信された認証番号を孔版印刷装置１の操作パネル８５から直接入力しなければ印刷動作を実行することができない。つまり、ユーザ本人が、孔版印刷装置１の操作パネル８５にて認証番号を入力する等の動作を実行しなければ、機密モードが有効のままとなり、他のユーザは、孔版印刷装置１を全く利用することできない。例えば、印刷ジョブを出力したユーザが出力したことを、うっかり忘れたり、急な電話や来客等の応対をしなければならない情況が発生すると、長時間に亘り孔版印刷装置１を全く利用することできないので、使い勝手が悪く、作業効率の悪化を招く。
そこで、本実施形態の動作例２では下記するように、機密モードを解除するために設定された時間を経過すれば、自動で機密モードを解除し、次の印刷ジョブの製版・印刷動作を実行可能にし、ユーザの使い勝手や作業効率向上を図るよう構成した。
【００８９】
（動作例２）
図１０のフローチャートに示されている動作例２を説明する。動作例２は、動作例１と比較して、孔版印刷装置本体２にある原稿読取装置９を使用して画像データを印刷する場合であり、特に経過時間により自動的に機密モードを解除させることで、新たな製版／印刷を実行可能とする点にある。この経過時間については、前記機密モードが実行開始された時点、つまり、機密モードが事前に実行され、印刷待機状態となっている製版済みのマスタ８ｂの製版給版指令に関して、ＰＣ２００からの信号が発信・送信された時点から、その信号に基づいて製版済みのマスタ８ｂを巻き付ける動作、すなわち給版動作が完了した時点までの間の何れかの時点を起点とする経過時間を条件に設定している。
【００９０】
本実施形態の動作例２は、機密モードにより、印刷待機状態で停止している孔版印刷装置１にて、例えば、ユーザが所用や印刷を行っていたことを忘れてしまい、長時間印刷待機状態で放置されている場合や、新たな製版・印刷を行う必要がある場合に有効な動作である。
図１０に示す動作例２は、機密モードで、印刷待機状態にある孔版印刷装置１において、機密モード解除が設定されている場合に、前記経過時間が図６（ｂ）の機密モード解除設定画面Ｂで設定された時間を経過している場合に、印刷ドラム３３外周面上の製版済みのマスタ８ｂを除去・破棄し、孔版印刷装置本体２の原稿読取装置９を使用して新たな画像データに基づいて印刷する例である（ステップＳ２５〜ステップＳ２７）。
上記動作例２では、孔版印刷装置本体２の原稿読取装置９を使用して画像データに基づいて印刷する例で説明するが、無論、ＰＣ２００からの画像データによって印刷する場合にも当てはまる。
【００９１】
図１３の操作パネル８５には、機密モードが実行され、印刷待機状態となっている場合の表示例を示している。例えば、図６（ａ）の機密モード解除設定画面Ａにおいて、機密モード解除がオンの状態にあり、図６（ｂ）の機密モード解除設定画面Ｂでの機密モード解除の条件が、経過時間１０分より機密モードが解除される設定になっている場合について説明する。現在機密モードが実施されている印刷ジョブの経過時間が１０分を経過し、機密モードが解除された場合の操作パネル８５の表示例を図１４に示す。この時、この機密モードが解除されたことを、操作パネル８５のみならず、ＰＣ２００側の図示しないディスプレイにおいても通知・表示されるので、全てのユーザに対して機密モードが解除され、新規での製版・印刷を受け付ける状態にあることを知らせることが可能となる（ステップＳ３０、ステップＳ３１）。但し、機密保持の点から、現在機密モードが解除された印刷ジョブに関しては、印刷を行うことは不可としている。後述の動作例３では、機密モードが解除され、印刷不可である印刷ジョブの印刷する方法について説明する。
【００９２】
新しい原稿２０の画像に応じた製版・印刷する際には、ユーザは、図１に示されているように、原稿２０を原稿載置台１０上に載せ、前記サイドフェンス対で原稿幅方向の位置を合わせながら、原稿２０の先端を原稿搬送ローラ１１と原稿搬送コロ１２とで形成されるニップ部に突き当てることによって原稿セットが終了する。この後、製版スタートキー８６を押下することで、原稿読取装置９を動作させ、原稿２０の画像データを読み取る。その後の動作は、例えば上記特開２００６−３４３９７１号公報の段落「００８７」〜「００９６」に記載されている周知の動作であるため省略するが、前述同様の排版・製版・給版等の動作を実行することで、所望の印刷ジョブにより所望の印刷物を得ることができる（ステップＳ３２〜ステップＳ４６）。
【００９３】
前述したとおり、本実施形態の動作例２によれば、特に不特定多数のユーザが孔版印刷装置１を使用する場合であって、孔版印刷装置１の操作に不慣れなユーザが多数いる場合には、機密モードが設定された経過時間で自動で解除状態とすることが可能なので、違和感なくこれまで通り、孔版印刷装置１を使用することができる。また、他のユーザによる孔版印刷装置１の使用に支障を与えることがなく、使い勝手が良いという利点がある。例えば、特許文献７に記載しているような「割り込み製版・印刷」を行うとすると、機密モードが実行されている印刷ジョブのユーザがそのことをすっかり忘れてしまっている場合には、印刷を実施することができない。この際、他のユーザは割り込みモードを使用して、孔版印刷装置１を使用しての印刷物を得ることは可能であるが、機密モードがいつまでも実行され、その機密モードが解除されることがないので、その状態を復元するために、元画像データに基づいての製版・給版を何回でも、いつまでも繰り返すので、マスタやインクの無駄につながってしまうこととなる。そこで、前記問題点を解消すべく次の動作例３を創作した。
【００９４】
（動作例３）
図１２のフローチャートに基づいて、本実施形態の動作例３を説明する。同図に示す動作例３は、動作例１および動作例２と比較して、機密モードが実施されていて、機密モード解除により機密モードが解除されている場合に、その機密モードが解除された印刷ジョブについて、印刷動作を実行する方法について示している。
同図において、ステップＳ５０〜ステップＳ５６までの動作は、図１０のステップＳ２５〜ステップＳ３１までの動作と同様であるため、省略する。図１４に示したように機密モードが解除された場合、操作パネル８５の４方向キー９３、テンキー８９、エンターキー９２および選択設定キー９５ａ，９５ｂ，９５ｃ，９５ｄを用いて、図１５のように、現在印刷待機状態となっている印刷ジョブの復帰印刷を実行できるように、前記画像データ（印刷ジョブ）に対応させる認証番号を入力する（ステップＳ５７〜ステップＳ５９）。
【００９５】
ＣＰＵ１０１は、入力された認証番号と画像データ（印刷ジョブ）に付与されている認証番号との照合を行う（ステップＳ６０）。合致する場合には、ＣＰＵ１０１の指令に基づき、図９に示したステップＳ２２〜ステップＳ２３と同様の版付け印刷、通常の正規の印刷動作が開始される。すなわち、前記給紙トレイ昇降モータがオンすることにより、給紙トレイ４８が上昇して、最上位の用紙Ｐが給紙ローラ４９に当接することにより、図示しない給紙位置検知センサのオン検知によって最上位の用紙Ｐが給紙可能な状態になったことが制御装置１００により判断されると、給紙装置４７では給紙待機状態となる。さらにこの後、用紙Ｐが給紙部、印刷部、排紙部を通過して排紙トレイ６１上に排出積載される版付け印刷、適宜行われる試し刷り、通常の正規の印刷が行われる（ステップＳ６２〜ステップＳ６３）。
ステップＳ６０において、上記認証番号照合の結果、合致しない場合には、その旨を液晶表示部９８およびＰＣ２００のディスプレイの少なくとも一方に表示し、再度認証番号の入力を要求する表示を行う（ステップＳ６１）。
【００９６】
以上述べたとおり、本発明を実施例を含む特定の実施形態および動作例等について説明したが、本発明の構成および動作は、前述した実施形態および動作例等に限定されるものではなく、これらを適宜組み合わせて構成したり動作させたりしてもよく、本発明の範囲内において、その必要性および用途等に応じて種々の実施形態や実施例等を構成し得ることは当業者ならば明らかである。
【図面の簡単な説明】
【００９７】
【図１】本発明の一実施形態を示す孔版印刷装置全体の一部断面正面図である。
【図２】図１の孔版印刷装置に用いられる操作パネルの平面図である。
【図３】図２の操作パネルの液晶表示部への機密モード設定時の表示を示す平面図である。
【図４】図２の操作パネルの液晶表示部への認証番号の入力要求表示を示す平面図である。
【図５】図２の操作パネルの液品表示部に表示される機密モード設定画面例を示す平面図である。
【図６】（ａ）は、図２の操作パネルの液晶表示部に表示される機密モード解除の設定画面例、（ｂ）は、同液晶表示部に表示される機密モード解除の設定画面例である。
【図７】図１の孔版印刷装置の制御構成を示すブロック図である。
【図８】図１の孔版印刷装置の動作例１を表すフローチャートである。
【図９】図８の続きのフローチャートである。
【図１０】図１の孔版印刷装置の動作例２を表すフローチャートである。
【図１１】図１０の続きのフローチャートである。
【図１２】図１の孔版印刷装置の動作例３を表すフローチャートである。
【図１３】図２の操作パネルの液晶表示部に表示される機密モード実行画面例を示す平面図である。
【図１４】図２の操作パネルの液晶表示部に表示される機密モード解除実行画面例である。
【図１５】図２の操作パネルの液晶表示部に表示される機密モード解除での復帰印刷の認証番号の入力要求表示画面例を示す平面図である。
【符号の説明】
【００９８】
１    孔版印刷装置
３    製版書込装置（製版部）
４    製版手段（製版部）
７    マスタ送り出し手段（給版手段を構成）
８ａ  マスタ
８ｂ  製版済みのマスタ
９    原稿読取装置
１４  ＣＩＳ（密着イメージセンサ）
２０  原稿
２２  サーマルヘッド（製版手段）
３２  給版・ドラム装置（印刷部）
３３  印刷ドラム（版胴）
３５  クランパ（給版手段を構成）
３６  インキ供給手段
４２  画像信号展開装置（画像処理手段）
４３  Ａ／Ｄ変換装置
４４  画像信号処理装置（画像処理手段）
４５  画像メモリ（変換画像データ記録手段）
６２  排版装置（排版部）
７３  着版検知センサ（着版検知手段）
７４  読取部駆動回路
７５  排版部駆動回路
７９  印刷部駆動回路
８１  製版部駆動回路
８２  カッタ駆動回路
８３  マスタ搬送部駆動回路
８５  操作パネル
８９  テンキー群（モード選択設定手段、第２のコード生成手段）
９２  エンターキー（モード選択設定手段、第２のコード生成手段）
９３  ４方向キー（モード選択設定手段）
９５ａ〜９５ｄ  選択設定キー（モード選択設定手段）
１００  制御装置（第１ないし第１１の制御手段）
１０１  ＣＰＵ（第１ないし第１１の制御手段）
１０２  ＲＯＭ（記録手段）
２００    パソコン（コンピュータの一例）
Ｐ    用紙（シート状記録媒体の一例）
Ｘ１  マスタ搬送方向
Ｘ    用紙搬送方向
【図１】
2010000672.tif 000003
【図２】
2010000672.tif 000004
【図３】
2010000672.tif 000005
【図４】
2010000672.tif 000006
【図５】
2010000672.tif 000007
【図６】
2010000672.tif 000008
【図７】
2010000672.tif 000009
【図８】
2010000672.tif 000010
【図９】
2010000672.tif 000011
【図１０】
2010000672.tif 000012
【図１１】
2010000672.tif 000013
【図１２】
2010000672.tif 000014
【図１３】
2010000672.tif 000015
【図１４】
2010000672.tif 000016
【図１５】
2010000672.tif 000017